(57)【要約】本発明の一実施例による空気清浄機は、水が収容されるための水槽と、水槽内に装着して回転する回転シャフトと、前記回転シャフトに結合して前記回転シャフトの長さ方向を回転軸として回転し、空気捕集が可能な複数の回転翼が形成される回転体とを含み、前記回転シャフトは、前記水槽内に収容される水が形成する水面と所定の角度を形成するように斜めに装着することを特徴とする。【選択図】図１
2019531768.tif 000002
【特許請求の範囲】
【請求項１】
水が収容されるための水槽と、前記水槽内に装着して回転する回転シャフトと、前記回転シャフトに結合して前記回転シャフトの長さ方向を回転軸として回転し、空気捕集が可能な複数の回転翼が形成される回転体とを含み、前記回転シャフトは、前記水槽内に収容される水が形成する水面と所定の角度を形成するように斜めに装着することを特徴とする空気清浄機。
【請求項２】
前記水槽は、上部の少なくとも一部を開放して空気の流出入が自由なことを特徴とする請求項１に記載の空気清浄機。
【請求項３】
前記回転体は、前記回転シャフトが貫通結合され、空の中空状の回転中心体を含み、前記回転翼は、前記回転中心体の外周に沿って同一間隔で離隔して形成されることを特徴とする請求項１に記載の空気清浄機。
【請求項４】
前記回転翼は、前記回転中心体から前記回転軸の外側方向に延長し、末端が一方向に向かって屈曲して形成される湾曲部を含むことを特徴とする請求項３に記載の空気清浄機。
【請求項５】
前記湾曲部は、末端が前記回転体が回転する方向に向かって屈曲して形成されることを特徴とする請求項４に記載の空気清浄機。
【請求項６】
前記回転翼は、前記湾曲部の一側に延長して形成され、前記湾曲部と共に空気を捕集するための閉鎖部をさらに含み、前記回転翼が回転するにつれて、前記水外部の空気が前記水内部に流入し、前記流入された空気が前記水内部から排出されることを特徴とする請求項４に記載の空気清浄機。
【請求項７】
前記回転翼は、回転するにつれて前記空気と共に捕集する水を排出するために前記湾曲部の他側が開放されることを特徴とする請求項６に記載の空気清浄機。
【請求項８】
前記回転翼は、前記湾曲部の一側に結合し、前記湾曲部と共に空気を捕集するための円板状のプレートが設置され、前記回転翼が回転するにつれて、前記水外部の空気が前記水内部に流入し、前記流入された空気が前記水内部から排出されることを特徴とする請求項４に記載の空気清浄機。
【請求項９】
前記プレートは、前記湾曲部と共に空気を捕集して水内部に投入するための閉鎖部と、前記回転翼が回転するにつれて、前記捕集された空気を内部から排出し、前記排出される空気を複数の気泡に破砕して排出するために前記プレートを厚さ方向に貫通して形成される空気破砕部を含むことを特徴とする請求項８に記載の空気清浄機。
【請求項１０】
前記回転翼は、回転するにつれて、前記空気と共に捕集する水を排出するために前記湾曲部の他側が開放されることを特徴とする請求項９に記載の空気清浄機。
【請求項１１】
前記水槽は、水槽外部の空気を強制流入するためにファンが装着された空気流入部を含むことを特徴とする請求項１に記載の空気清浄機。
【請求項１２】
前記水槽は、水槽内部の空気を排出するために開口して形成された空気排出口を含むことを特徴とする請求項１１に記載の空気清浄機。
【請求項１３】
前記回転体は複数個で形成され、前記複数個の回転体は、前記水槽の下部面を基準とする最下段高さが一致するようにサイズが異なることを特徴とする請求項１に記載の空気清浄機。
【発明の詳細な説明】
【技術分野】
【０００１】
本発明は、空気清浄機に関し、さらに詳しくは、水槽内に収容される水と所定の角度を形成するように斜めに回転する回転体を利用する空気清浄機に関する。
【背景技術】
【０００２】
通常、空気清浄機は、室内の空気を送風によって強制循環する過程で、汚染された空気中の汚染物質及び微細粉塵をろ過し、清浄になった空気を室内に排出する衛生機器である。
【０００３】
このような空気清浄機は、フィルター方式と水を利用したディスク方式に分類することができる。
【０００４】
フィルター方式の空気清浄機は、埃とＶＯＣガスをそれぞれ取るフィルターを使用するが、一定時間毎に交替しなければならないという短所がある。
【０００５】
ＶＯＣガスの減少には活性炭フィルターが多く使用されているが、この場合も周期的に交替しなければ適切な性能が発揮できない。
【０００６】
水を利用したディスク方式の空気清浄機は、エアーウォッシャー（ａｉｒ  ｗａｓｈｅｒ）とも呼ばれ、埃が含まれた空気を回転するディスクに注入して埃を付着させる方式である。
【０００７】
しかし、このような水を利用したディスク方式の空気清浄機は、空気清浄効果が低下するという問題点がある。
【０００８】
一方、雨が降った後は大気がきれいになるが、これは、空気中の埃とＶＯＣガスが雨によって吹き払われたり溶解されるからである。このような特徴を利用して、埃を含む空気を水中に注入し、密度差によって水中で排出させれば、優れた洗浄効果が得られる。
【０００９】
これを具現するために、空気が留まる空気部屋もしくは空気捕集部が形成された回転体をその一部が水没した状態で回転させる方法を考案することができるが、空気を水中に入れる時や回転体に水が浸かって持ち上げられる時に大きなエネルギーが消費され、空気が排出される時や水が落ちる時に騒音が発生するという問題がある。
【先行技術文献】
【特許文献】
【００１０】
【特許文献１】韓国公開特許第１０−２００９−００８１５５３号公報
【発明の概要】
【発明が解決しようとする課題】
【００１１】
本発明の目的は、回転軸が水面と一定の角度を維持し、空気部屋を形成する回転体が回転後に水中で排出する空気を利用して空気を浄化する空気清浄機を提供することにある。
【００１２】
また、本発明の他の目的は、複数の貫通孔が形成されたプレートを回転体の一側に結合し、水中で細かい気泡で排出することで、空気浄化効率を極大化する空気清浄機を提供することにある。
【００１３】
本発明が解決しようとする課題は、以上で言及した課題に制限されず、言及されなかったまた他の課題は、下記の記載から当業者に明確に理解できるであろう。
【課題を解決するための手段】
【００１４】
上記のような目的を達成するための本発明の一実施例による空気清浄機は、水が収容されるための水槽と、前記水槽内に装着して回転する回転シャフトと、前記回転シャフトに結合して前記回転シャフトの長さ方向を回転軸として回転し、空気捕集が可能な複数の回転翼が形成される回転体とを含み、前記回転シャフトは、前記水槽内に収容される水が形成する水面と所定の角度を形成するように斜めに装着することを特徴とする。
【００１５】
また、本発明の一実施例による前記水槽は、上部の少なくとも一部を開放して空気の流出入が自由なことを特徴とする。
【００１６】
また、本発明の一実施例による前記回転体は、前記回転シャフトが貫通結合され、空の中空状の回転中心体を含む、前記回転翼は、前記回転中心体の外周に沿って同一間隔で離隔して形成されることを特徴とする。
【００１７】
また、本発明の一実施例による前記回転翼は、前記回転中心体から前記回転軸の外側方向に延長し、末端が一方向に向かって屈曲して形成される湾曲部を含むことを特徴とする。
【００１８】
また、本発明の一実施例による前記湾曲部は、末端が前記回転体が回転する方向に向かって屈曲して形成されることを特徴とする。
【００１９】
また、本発明の一実施例による前記回転翼は、前記湾曲部の一側に延長して形成され、前記湾曲部と共に空気を捕集するための閉鎖部をさらに含み、前記回転翼が回転するにつれて、前記水外部の空気が前記水内部に流入し、前記流入された空気が前記水内部から排出されることを特徴とする。
【００２０】
また、本発明の一実施例による前記回転翼は、回転するにつれて前記空気と共に捕集する水を排出するために前記湾曲部の他側が開放されることを特徴とする。
【００２１】
また、本発明の一実施例による前記回転翼は、前記湾曲部の一側に結合し、前記湾曲部と共に空気を捕集するための円板状のプレートが設置され、前記回転翼が回転するにつれて、前記水外部の空気が前記水内部に流入し、前記流入された空気が前記水内部から排出されることを特徴とする。
【００２２】
また、本発明の一実施例による前記プレートは、前記湾曲部と共に空気を捕集して水内部に投入するための閉鎖部と、前記回転翼が回転するにつれて、前記捕集された空気を内部から排出し、前記排出される空気を複数の気泡に破砕して排出するために前記プレートを厚さ方向に貫通して形成される空気破砕部を含むことを特徴とする。
【００２３】
また、本発明の一実施例による前記回転翼は、回転するにつれて、前記空気と共に捕集する水を排出するために前記湾曲部の他側が開放されることを特徴とする。
【００２４】
また、本発明の一実施例による前記水槽は、水槽外部の空気を強制流入するためにファンが装着された空気流入部を含むことを特徴とする。
【００２５】
また、本発明の一実施例による前記水槽は、水槽内部の空気を排出するために開口して形成された空気排出口を含むことを特徴とする。
【００２６】
また、本発明の一実施例による前記回転体は複数個で形成され、前記複数の回転体は、前記水槽の下部面を基準とする最下段高さが一致するようにサイズが異なることを特徴とする。
【発明の効果】
【００２７】
本発明は、従来、水を利用した空気清浄機が受動的な方法で作動するのは違って、空気を水に流入して水中から排出することにより、能動的な空気浄化が可能である。
【００２８】
また、本発明は、回転体が前記水槽内に収容される水が形成する水面と所定の角度を形成するように斜めに装着されることによって、少ないエネルギーを使用して水外部の空気を水内部に流入することができる。
【００２９】
また、本発明は、湾曲部の他側が開放されることにより、回転時に前記湾曲部の内側に溜まった水は、回転体が回転して容易に外部に排出することができる。
【００３０】
また、本発明は、空気破砕部が形成された回転翼を利用することで、空気と水の接触表面積を極大化して、空気浄化効率を大きく向上させることができる。
【００３１】
また、本発明は、回転体が複数個で形成されることができ、水槽のサイズに合わせて前記回転体の個数を増加させて、空気浄化効率を向上させることも可能である。
【図面の簡単な説明】
【００３２】
【図１】本発明の一実施例による空気清浄機の概念図である。
【図２ａ】本発明の一実施例による回転体の斜視図である。
【図２ｂ】本発明の一実施例による回転体の正面図である。
【図２ｃ】本発明の一実施例による回転体の背面図である。
【図３ａ】本発明の他の実施例による回転体の斜視図である。
【図３ｂ】本発明の他の実施例による回転体の正面図である。
【図３ｃ】本発明の他の実施例による回転体の背面図である。
【図４】本発明の他の実施例による空気清浄機の概念図である。
【図５】本発明のまた他の実施例による空気清浄機の概念図である。
【発明を実施するための形態】
【００３３】
本発明の利点及び／または特徴、そしてそれらを達成する方法は、添付の図面と共に詳しく後述する実施例を参照すれば明確になるであろう。しかし、本発明は、以下で開示される実施例に限定されるものではなく、様々な異なる形態で具現されることができ、但し、本実施例は、本発明の開示を完全にして、本発明が属する技術分野で通常の知識を持った者に発明の範疇を完全に知らせるために提供されるものであり、本発明は、請求項の範疇によって定義されるだけである。明細書全体にわたって同一の参照符号は同一の構成要素を指す。
【００３４】
図１は、本発明の一実施例による空気清浄機の概念図であり、図２ａは、本発明の一実施例による回転体の斜視図であり、図２ｂは、本発明の一実施例による回転体の正面図であり、図２ｃは、本発明の一実施例による回転体の背面図である。
【００３５】
図１及び図２ａ〜図２ｃを参照すると、本発明の一実施例による空気清浄機は、水槽１０、前記水槽１０内に配置される回転シャフト１００、回転体２００、駆動部２０、及び前記駆動部２０を含む全ての構成を制御することができる制御部などを含むことを特徴とする。
【００３６】
前記水槽１０は、水１を収容するための構成であり、内部に水１を収容するための空間を有することができる。例えば、前記水槽１０は、四角柱状に示されているが、これに制限されるものではなく、各種の多角状や円筒状といった多様な形状を含むことができる。
【００３７】
一方、前記水槽１０は、上部の少なくとも一部が開放されて空気の流出入が自由に形成されることができ、この場合は、周囲の空気を自然的な方式で流入し排出することができる。
【００３８】
前記回転シャフト１００は、前記水槽１０内に装着して回転し、前記回転体２００は、前記回転シャフト１００に結合し、前記回転シャフト１００の長さ方向を回転軸として回転し、空気捕集が可能な複数個の翼で形成されることができる。
【００３９】
前記回転シャフト１００の一端は回転駆動力を提供するための駆動部２０と連結することができ、前記駆動部２０には、モータなどが含まれることができる。
【００４０】
前記回転シャフト１００は、前記回転体２００の中心を貫通して形成することができ、前記回転体２００の他端が前記回転体２００に連結するか、または前記回転体２００を貫通して前記水槽１０に連結することも可能である。
【００４１】
このとき、前記回転シャフト１００は、前記水槽１０内に収容される水１と所定の角度を形成するように斜めに装着されることができる。
【００４２】
即ち、前記水槽１０内に満たされた水１の水面ａと前記回転シャフト１００の長さ方向に該当する回転軸ｂが特定角度θで固定して形成することができる。
【００４３】
前記回転体２００は、空気捕集が可能に形成され、前記水槽１０内に満たされた水１の一部に浸かった状態で回転することにより、前記水１外部の空気を前記水１内部に流入させ、前記水１内部で前記流入された空気を排出することで空気を浄化させることができる。
【００４４】
前記回転体２００は、前記回転シャフト１００が貫通結合され、空の中空状の回転中心体２２０を含むことができ、前記回転翼２１０は、前記回転中心体２２０の外周に沿って同一間隔で離隔して形成することができる。
【００４５】
前記回転体２００は、前記回転シャフトと分離可能であり、前記回転翼２１０は、前記回転中心体２２０と分離可能に形成され、前記回転体２００の全ての構成を分離して洗浄することができる。
【００４６】
そのため、前記回転体、前記回転シャフト及び前記回転中心体は、互いに対応する位置に結合溝部と結合突部との結合や、結合及び分離を可能にする各種の締結構造を含むことができる。
【００４７】
ここで、前記回転翼２１０は、前記回転中心体２２０から前記回転軸の外側方向に延長し、末端が一方向に向かって屈曲して形成される湾曲部２１１を含むことができる。
【００４８】
具体的に、前記湾曲部２１１は、前記回転軸の外側方向に延長し、末端２１１ｃが一方向に向かって角ばって形成することができるが、これに制限されるものではなく、緩やかに折り曲げて形成することもできる。
【００４９】
また、前記湾曲部２１１は、末端２１１ｃが前記回転体２００が回転する方向に向かって屈曲して形成することが好ましく、これにより、前記回転体２００が前記回転シャフト１００の長さ方向を回転軸として回転する場合、空気を捕集して前記水１内部に流入することができる。
【００５０】
特に、前記湾曲部２１１は、末端２１１ｃが水１中に流入する時、浮力を最小化する形状で形成することができ、発生する騒音を最小化することができる。
【００５１】
前記回転翼２１０は、前記湾曲部の一側２１１ａに延長して形成され、前記湾曲部２１１と共に空気を捕集するための閉鎖部２１２をさらに含むことができ、前記回転翼２１０が回転するにつれて、前記水１外部の空気が前記水１内部に流入し、前記流入された空気が前記水１内部から排出されることができる。
【００５２】
上記のような前記回転体２００は、前記水槽１０内に収容される水１が形成する水面と所定の角度を形成するように斜めに装着されることにより、少ないエネルギーを使って水１外部の空気を水１内部に流入することができる。
【００５３】
また、前記回転翼２１０は、回転するにつれて前記空気と共に捕集する水１を排出するために、前記湾曲部の他側２１１ｃが開放されることができる。
【００５４】
このような構造を有することで、回転時に前記湾曲部２１１の内側に溜まった水は、前記回転体２００が回転して外部に出る時に排出することができる。
【００５５】
即ち、前記回転体２００は、斜めに形成され、前記湾曲部の他側２１１ｃが開放されることにより、前記空気と共に捕集する水が前記湾曲部の他側２１１ｃに向かって自然と排出されることができる。
【実施例】
【００５６】
図３ａは、本発明の他の実施例による回転体の斜視図であり、図３ｂは、本発明の他の実施例による回転体の正面図であり、図３ｃは、本発明の他の実施例による回転体の背面図である。
【００５７】
図３ａ〜図３ｃを参照すると、前記回転翼２１０には、前記湾曲部の一側２１１ａに結合し、前記湾曲部２１１と共に空気を捕集するための円板状のプレート２３０が設置されることができ、前記回転翼２１０が回転するにつれて、前記水１外部の空気が前記水１内部に流入し、前記流入された空気が前記水１内部から排出されることができる。
【００５８】
具体的に、前記プレート２３０は、前記湾曲部２１１と共に空気を捕集して水１内部に投入するための閉鎖部２１２と、前記回転翼２１０が回転するにつれて前記捕集された空気を水１内部から排出し、前記排出される空気を複数の気泡に破砕して排出するために、前記プレート２３０を厚さ方向に貫通して形成される空気破砕部２３１とを含むことができる。
【００５９】
このとき、前記空気破砕部２３１は、複数の貫通孔、メッシュ、各種の管路などを全て含むことができる。
【００６０】
前記回転体２００は、前記湾曲部の一側２１１ａが上向し、前記湾曲部２１１の他面２１１ｂが下向するように斜めに装着されることができ、前記水１内部に流入した空気は、密度差によって前記プレート２３０方向に移動するが、前記プレート２３０に形成された空気破砕部２３１を貫通することで破砕して複数の気泡として排出される。
【００６１】
即ち、前記プレート２３０は、前記湾曲部の一側２１１ａで前記湾曲部２１１と屈曲する方向に前記閉鎖部２１２が形成され、空気を捕集することができ、前記回転翼２１０の閉鎖部２１２と前記回転翼２１０と隣接した他の回転翼２１０との間に空気破砕部２３１が形成されることができる。
【００６２】
このような構造を有することで、前記空気と前記水１との接触表面積が極大化され、空気浄化効率を大きく向上させることができる。
【００６３】
同様に、前記回転翼２１０は、回転するにつれて、前記空気を共に捕集する水１を排出するために、前記湾曲部の他側２１１ｂが開放されることができる。
【００６４】
このような構造を有することで、回転時に前記湾曲部２１１の内側に溜まった水１は、前記回転体２００が回転して外部に出る時に排出されることができる。
【００６５】
図４は、本発明の他の実施例による空気清浄機の概念図である。
【００６６】
図４を参照すると、前記水槽１０は、一側面の水槽１０外部の空気を強制流入するためのファンが装着された空気流入部３００を含むことができる。また、前記水槽１０は、他側面に水槽１０内部の空気を排出するために、所定のサイズで開口して形成された空気排出口３１０を含むことができる。
【００６７】
この場合、水槽１０外部の空気は強制で前記水槽１０内部に流入し、前記回転体２００と前記水１によって浄化されることができ、浄化された空気は、前記空気排出口３１０を通じて前記水槽１０の外部に排出されることができる。
【００６８】
図５は、本発明のまた他の実施例による空気清浄機の概念図である。
【００６９】
図５を参照すると、前記回転体２００は、複数個で形成され、前記複数個の回転体２００は、前記水槽１０の下部面を基準として最下段高さが一致するようにサイズが異なることが好ましい。
【００７０】
上記のような構造を有することで、前記水槽１０のサイズに合わせて前記回転体２００の個数を増加させて、空気浄化効率を向上させることも可能である。
【００７１】
これまで本発明による具体的な実施例について説明したが、本発明の範囲から逸脱しない範囲内では様々な変形が可能なことは言うまでもない。従って、本発明の範囲は、説明された実施例に限られてはならず、後述する特許請求の範囲だけでなく、この特許請求の範囲と均等なものによって定められるべきである。
【００７２】
以上のように、本発明は限定された実施例と図面によって説明されたが、本発明は上記実施例に限定されるものではなく、これは本発明が属する分野で通常の知識を持った者であれば、このような記載から様々な修正及び変形が可能である。従って、本発明は、下記に記載された特許請求の範囲によって把握されるべきであり、これと均等または等価的変形は、いずれも本発明思想の範疇に属するといえる。
【図１】
2019531768.tif 000003
【図２ａ】
2019531768.tif 000004
【図２ｂ】
2019531768.tif 000005
【図２ｃ】
2019531768.tif 000006
【図３ａ】
2019531768.tif 000007
【図３ｂ】
2019531768.tif 000008
【図３ｃ】
2019531768.tif 000009
【図４】
2019531768.tif 000010
【図５】
2019531768.tif 000011
【国際調査報告】
2019531768.tif 000012
2019531768.tif 000013
2019531768.tif 000014
2019531768.tif 000015